(57)【要約】【課題】本発明は、シーリングライト（天井照明）に取り付けも交換も容易で、そのシーリングライトの光源により、販売促進効果も高く、経済的で安全性に優れた広告・宣伝販売用のシーリングライト用表示体を提供することを目的とするものである。【解決手段】シーリングライト（天井照明）Ｃに取付けるシーリングライト用表示体Ｂであって、前記表示体Ｂは、少なくとも一部に表示部５を有する基材３からなり、該基材３を折曲すると共に、この折曲した基材３の少なくとも一端部にシーリングライトＣに取付ける固定具Ａが設けられていることを特徴とするシーリングライト用表示体である。【選択図】図１
2005128057.tif 000002
【特許請求の範囲】
【請求項１】
シーリングライト（天井照明）に取付けるシーリングライト用表示体であって、前記表示体は、少なくとも一部に表示部を有する基材からなり、該基材を折曲すると共に、この折曲した基材の少なくとも一端部にシーリングライトに取付ける固定具が設けられていることを特徴とするシーリングライト用表示体。
【請求項２】
前記基材は、長手方向の線対称の位置を折曲線としてＶ字状または円弧状に折曲したものであり、該折曲線に沿った長手方向の各々端部にシーリングライトに取付ける固定具が各々対称的に設けられていることを特徴とする請求項１記載のシーリングライト用表示体。
【請求項３】
前記基材は、短手方向同士または長手方向同士の端部を固定して筒状に折曲したものであり、該筒状基材の断面形状と同じ形状でシーリングライトの周囲を囲むように取付ける固定具が設けられていることを特徴とする請求項１記載のシーリングライト用表示体。
【請求項４】
前記固定具は、マグネット部を有する長尺または筒状基材の断面と同じ形状の成形体で形成されていることを特徴とする請求項１乃至３のいずれか１項記載のシーリングライト用表示体。
【請求項５】
前記基材は、該基材上に第一半透明層、第一印刷層が順次積層されていることを特徴とする請求項１乃至４のいずれか１項記載のシーリングライト用表示体。
【請求項６】
前記基材は、該基材上に第一半透明層、第一印刷層、第二半透明層、第二印刷層が順次積層されていることを特徴とする請求項１乃至４のいずれか１項記載のシーリングライト用表示体。
【請求項７】
前記第一半透明層および第二半透明層は、白色の印刷インキから形成されていることを特徴とする請求項５又は６記載のシーリングライト用表示体。
【請求項８】
前記第一印刷層および第二印刷層の印刷画像は、同一画像が同一見当で重刷りされていることを特徴とする請求項６記載のシーリングライト用表示体。
【発明の詳細な説明】
【技術分野】
【０００１】
本発明は、店内などにおける広告・宣伝販売用のＰＯＰツールとして使用するシーリングライト用表示体に関するものであり、さらに詳しくは、シーリングライト（天井照明）に取り付けも交換も容易で、そのシーリングライトの光源により、ＰＯＰツールとしての販売促進効果も高く、安全性に優れた広告・宣伝販売用のシーリングライト用表示体に関するものである。
【背景技術】
【０００２】
商品の店頭や店内などにおける広告・宣伝販売用のＰＯＰツールとして多くの種類のツールが使用されているが、最近では店頭ＳＰ、特に「のぼり旗」などが道路通行上の視界を妨げる問題などから、多くの業界で「のぼり旗」の全面廃止の動きなど広告・宣伝販売用のＰＯＰツールの全般的な見直しが検討されている。
【０００３】
広告・宣伝販売用のＰＯＰツールとしてのシーリングライト用表示体は、従来は光源体である蛍光灯を収納する枠体表面にプラスチック樹脂などで成形された板状の表示用フィルムを取り付けるか、或いは別置型の蛍光灯本体にこの蛍光灯を囲繞するように筒状に形成された表示用フィルムを取り付けたものが知られていた。
【０００４】
このような表示用フィルムは、商品のライフサイクルが極端に短くなった最近では商品棚のレイアウトの変更、或いは取扱う商品を変更することが頻繁になり、その商品棚のレイアウトの変更や商品の交換に伴い、同時にその広告・宣伝販売用のＰＯＰツールとしての表示用フィルムの交換も頻繁に必要となっている。
【０００５】
しかしながら、その表示用フィルムを取り付けている構造が複雑であるため交換が容易でなく、交換時間もかかり、人件費も増大する問題点があった。
【０００６】
そこで乱反射用フィルムと透明フィルムを重畳して貼着した板状の合成フィルムを折曲し、その折曲線と平行な両端に係止手段を設け、この合成フィルムを光源体にこれを囲繞すべく直接取付けるよう構成することにより、広告媒体として取付け位置、形状、大きさの変更が容易となり、表示機能を一層向上することができる表示用光源カバーが提案されている（例えば、特許文献１参照。）。
【０００７】
以下に先行技術文献を示す。
【特許文献１】実開平２−１４８１８８号公報
【発明の開示】
【発明が解決しようとする課題】
【０００８】
しかしながら、上記のような表示用光源カバーは、そのカバーを蛍光灯である光源に直接取り付けるものであり、このカバーを光源から離して取り付けるという思想がなく、長時間使用すると、光源の熱が伝達し、カバーが劣化し、最悪の場合、発火して火災の原因になる可能性がある。
【０００９】
また、直接蛍光灯などの光源に取付けることから、重量のある素材を使用することはできず、紙、フィルムなどのような軽量な素材に限られ、大きさもコンパクトな大きさに限定され、人目を引く大きなものを使用することはできなかった。
【００１０】
本発明はこのような従来技術の問題点を解決しようとするものであり、シーリングライト（天井照明）に取り付けも交換も容易で、そのシーリングライトの光源により、販売促進効果も高く、経済的で安全性に優れた広告・宣伝販売用のシーリングライト用表示体を提供することを目的とするものである。
【課題を解決するための手段】
【００１１】
本発明は、上記のような課題を解決する為に成されたもので、本発明の請求項１に係る発明は、シーリングライト（天井照明）Ｃに取付けるシーリングライト用表示体Ｂであって、前記表示体Ｂは、少なくとも一部に表示部５を有する基材３からなり、該基材３を折曲すると共に、この折曲した基材３の少なくとも一端部にシーリングライトＣに取付ける固定具Ａが設けられていることを特徴とするシーリングライト用表示体である。
【００１２】
本発明の請求項２に係る発明は、請求項１記載のシーリングライト用表示体において、前記基材３は、長手方向の線対称の位置を折曲線４としてＶ字状または円弧状に折曲したものであり、該折曲線４に沿った長手方向の各々端部２、２にシーリングライトＣに取付ける固定具Ａが各々対称的に設けられていることを特徴とするシーリングライト用表示体である。
【００１３】
本発明の請求項３に係る発明は、請求項１記載のシーリングライト用表示体において、前記基材３は、短手方向同士または長手方向同士の端部を固定して筒状に折曲したものであり、該筒状基材３の断面形状と同じ形状でシーリングライトＣの周囲を囲むように取付ける固定具Ａが設けられていることを特徴とするシーリングライト用表示体である。
【００１４】
本発明の請求項４に係る発明は、請求項１乃至３のいずれか１項記載のシーリングライト用表示体において、前記固定具Ａは、マグネット部１を有する長尺または筒状基材３の断面と同じ形状の成形体１で形成されていることを特徴とするシーリングライト用表示体である。
【００１５】
本発明の請求項５に係る発明は、請求項１乃至４のいずれか１項記載のシーリングライト用表示体において、前記基材３は、該基材３上に第一半透明層１０、第一印刷層１１が順次積層されていることを特徴とするのシーリングライト用表示体である。
【００１６】
本発明の請求項６に係る発明は、請求項１乃至４のいずれか１項記載のシーリングライト用表示体において、前記基材３は、該基材３上に第一半透明層１０、第一印刷層１１、第二半透明層１２、第二印刷層１３が順次積層されていることを特徴とするのシーリングライト用表示体である。
【００１７】
本発明の請求項７に係る発明は、請求項５又は６記載のシーリングライト用表示体において、前記第一半透明層１０および第二半透明層１２は、白色の印刷インキから形成されていることを特徴とするシーリングライト用表示体である。
【００１８】
本発明の請求項８に係る発明は、請求項６記載のシーリングライト用表示体において、前記第一印刷層１１および第二印刷層１３の印刷画像は、同一画像が同一見当で重刷りされていることを特徴とするシーリングライト用表示体である。
【発明の効果】
【００１９】
本発明のシーリングライト（天井照明）用表示体は、合成樹脂フィルムまたは布帛からなる基材を折曲すると共に、この折曲した基材の折曲線に沿った長手方向の各々端部にシーリングライトに取付ける固定具を各々対称的に設け、前記基材上に第一半透明層、第一印刷層、第二半透明層、第二印刷層を順次積層し、前記第一印刷層と第二印刷層の印刷画
像を、同一画像、同一見当で重刷りすることにより、シーリングライトに取り付けも交換も容易で、そのシーリングライトの光源により、販売促進効果も高く、経済的で安全性に優れ、またシーリングライトで照らされた場合、明るくなり過ぎず鮮明な画像が得られる広告・宣伝販売用のシーリングライト用表示体である。
【発明を実施するための最良の形態】
【００２０】
本発明の実施の形態を図１から図８に基づいて詳細に説明する。
【００２１】
図１は本発明に係るシーリングライト用表示体Ｂの１実施例を示す斜視図であり、図２は本発明に係るシーリングライト用表示体Ｂのその他の実施例を示す斜視図であり、図３は本発明に係るシーリングライト用表示体Ｂに固定具Ａを装着し、シーリングライト（天井照明）Ｃに取り付ける状態を説明する説明図であり、図４は本発明に係るシーリングライト用表示体Ｂをシーリングライト（天井照明）Ｃに取付けた斜視図であり、図５は本発明に係るシーリングライト用表示体Ｂの１変形例を示す斜視図であり、図６は本発明に係るシーリングライト用表示体Ｂのその他の変形例を示す斜視図であり、図７は本発明に係るシーリングライト用表示体Ｂの基材３上に第一半透明層、第一印刷層を順次設けた１実施例を示す側断面図であり、図８は本発明に係るシーリングライト用表示体Ｂの基材３上に第一半透明層、第一印刷層、第二半透明層、第二印刷層を順次設けたその他の実施例を示す側断面図である。
【００２２】
本発明のシーリングライト用表示体Ｂは、図１に示すように、合成樹脂フィルムまたは布帛などからなる基材３上に印刷方式などにより表示部５を設け、Ｖ字状に半分に折曲すると共に、この折曲した基材３の折曲線４に沿った長手方向の各々端部２、２にシーリングライト（天井照明）Ｃに取付ける固定具Ａを各々対称的に設けている。
【００２３】
ここで折曲線４とは、基材３をＶ字状、または円弧状に折り曲げる時の折曲げの中心となる線である。
【００２４】
前記基材３は、合成樹脂または生分解性合成樹脂をフィルム化した材料を単体で使用する場合やラミネート技術により複合化した積層材料を使用しても良いし、合成繊維や天然繊維を織物にした布帛や不織布などを使用することもできる。
【００２５】
前記合成樹脂は、例えば、ポリエチレン（低密度ポリエチレン、中密度ポリエチレン、高密度ポリエチレン、直鎖状低密度ポリエチレン）、ポリプロピレン、ポリブテンなどのポリオレフィン系樹脂、アクリル系樹脂、ポリ塩化ビニル系樹脂、ポリスチレン系樹脂、ポリ塩化ビニリデン系樹脂、エチレン−酢酸ビニル共重合体樹脂、アイオノマー樹脂、ポリビニルアルコール系樹脂、ポリ酢酸ビニル系樹脂、ポリアセタール系樹脂、ポリエステル系樹脂、ポリアミド系樹脂、ポリウレタン系樹脂、ポリカーボネート系樹脂、フッ素系樹脂、その他などの各種の樹脂を使用することもできるが、印刷適性、耐熱性や強度などの物性、コストなどの経済性が満足するものであれば、特に制約されるものではない。
【００２６】
次に、生分解性合成樹脂の場合は、例えば、微生物系としてバイオポリエステル、バクテリアセルロース、微生物多糖（プルラン、カードランなど）などがある。
【００２７】
化学合成系には、脂肪族ポリエステル（ポリカプロラクトン、ポリブチレンサクシネート、ポリエチレンサクシネート、ポリグリコール酸、ポリ乳酸など）、ポリビニルアルコール、ポリアミノ酸類などがある。
【００２８】
また、天然物系には、キトサン／セルロース、澱粉、酢酸セルロースなどがあり、複合物としては、澱粉／脂肪族ポリエステル、澱粉／ポリビニルアルコールなどがある。
【００２９】
これらのいずれか１種を使用することにより、使用後には土壌、堆肥の中に生息する好気性微生物や分解酵素により生分解を受け、最終的に二酸化炭素や水に分解し、無機物になれば廃プラスチックの処理問題も解決できるなどの利点がある。
【００３０】
尚、前記基材３の厚みは、シーリングライト用表示体Ｂの大きさによって適宜選択されるが、１００〜３００μｍの範囲が好ましい。
【００３１】
前記印刷方式は、グラビア印刷、シルクスクリーン印刷、フレキソ印刷、オフセット印刷などの公知の印刷方式を使用することができる。
【００３２】
図３に示すように、シーリングライト用表示体ＢをシーリングライトＣに取付ける各々固定具Ａは、マグネット部１ａを有する長尺な各々成形体１からできている。
【００３３】
すなわち、各々該成形体１のマグネット部１面ではない反対面とあらかじめシーリングライト用表示体Ｂを形成する基材３の折曲線４に沿った長手方向の各々端部２、２とを一体化しておく。
【００３４】
次に、各々該固定具Ａのマグネット部１ａ面をシーリングライト（天井照明）Ｃのマグネット適性のある鉄鋼板などの材料で作製した各々取付け部６、６にマグネットの磁力によって貼着する。
【００３５】
尚、あらかじめ各々固定具Ａとシーリングライト用表示体Ｂを一体化する方法は、該シーリングライト用表示体Ｂを形成する基材３の折曲線４に沿った長手方向の各々端部２、２に再剥離可能な粘着剤シートを貼り、該粘着剤シート面と各々該固定具Ａを形成している各々成形体１のマグネット部１ａ面ではない反対面と貼着する方法がある。
【００３６】
または、各々該固定具Ａを形成している各々成形体１のマグネット部１ａ面ではない反対面に再剥離可能な粘着剤シートを貼り、該シーリングライト用表示体Ｂを形成する基材３の折曲線４に沿った長手方向の各々端部２、２と貼着する方法でもよい。
【００３７】
また、各々該固定具Ａ自身を長手方向にクリップ形状にして該シーリングライト用表示体Ｂを取付けることもできる。
【００３８】
さらには、ビス止めなどにより取付ける方法もあるが、各々固定具Ａと該シーリングライト用表示体Ｂを容易に取り付けと取り外しができる方法ならば、特に制約されるものではない。
【００３９】
以上のように、各々固定具Ａは、一定にしてシーリングライト用表示体Ｂを容易に交換することができることが望ましい。
【００４０】
このような固定具Ａを使用して、図３に示すように、シーリングライト用表示体Ｂを蛍光灯７などの光源に直接取付けるのではなく、天井８に取り付けられているシーリングライト（天井照明）Ｃのマグネット適性のある鉄鋼板などの材料で作製した取付け部６に該固定具Ａが有するマグネット部１ａの磁力によって取り付ける。
【００４１】
したがって、シーリングライト用表示体Ｂは、長時間にわたって使用しても蛍光灯などの光源によって加熱されることはなく、火災などの発生を防止することができる安全性に優れた広告・宣伝販売用のシーリングライト用表示体Ｂである。
【００４２】
また、蛍光灯の本体に直接取り付けるのではないので、シーリングライト用表示体Ｂの基材３が重量のあるものであっても落下することはないので人目を引く大きな形状の該表示体Ｂを使用することができ販売促進効果も高くなる。
【００４３】
次に、シーリングライト用表示体Ｂは、図７に示すように、該表示体Ｂを形成している基材３上に、第一半透明層１０、第一印刷層１１が順次積層されている。
【００４４】
または、図８に示すように、該基材３上に第一半透明層１０、第一印刷層１１、第二半透明層１２、第二印刷層１３が順次積層されている。
【００４５】
前記第一半透明層１０および第二半透明層１２は、白色の印刷インキなどを使用して形成されている。
【００４６】
このような半透明層上に印刷層を設けることにより、該半透明層内で光が拡散し、該表示体Ｂ全体が明るくなり、印刷された表示部５がより見易くなる。
【００４７】
さらに、シーリングライト用表示体Ｂは、前記第一印刷層１１および第二印刷層１３の印刷画像を同一画像にして同一見当で重刷りすることにより、印刷層が１層の場合より画像が鮮明になり、販売促進効果もより一層高くなる。
【００４８】
本発明のシーリングライト用表示体Ｂは、店内に多数有るシーリングライト（天井照明）Ｃの１部を使用して表示をするので、専用の光源を必要とせず、コスト削減、資源の無駄をはぶける経済的なシーリングライト用表示体Ｂである。
【００４９】
以上のように、本発明のシーリングライト（天井照明）用表示体Ｂは、合成樹脂フィルムまたは布帛からなる基材３を折曲すると共に、この折曲した基材３の折曲線４に沿った長手方向の各々端部２、２にシーリングライトＣに取付ける固定具を各々対称的に設け、前記基材３上に第一半透明層１０、第一印刷層１１、第二半透明層１２、第二印刷層１３を順次積層し、前記第一印刷層１１と第二印刷層１３の印刷画像を、同一画像、同一見当で重刷りすることにより、シーリングライトＣに取り付けも交換も容易で、そのシーリングライトＣの光源により、鮮明な画像が得られるので販売促進効果も高く、経済的で安全性に優れた広告・宣伝販売用のシーリングライト用表示体Ｂである。
【実施例１】
【００５０】
本発明のシーリングライト用表示体Ｂは、基材３に厚み２００μｍの１，０００ｍｍ幅のポリエステルフィルム原反を使用し、図７に示すように、該基材３上に白色インキをグラビア印刷方式により、全面ベタ印刷し、第一半透明層１０を設けた。
【００５１】
更に、第一半透明層１０上に「特売日」なる文字をグラビア印刷方式で印刷を施し、第一印刷層１１となる表示部５を設けた。
【００５２】
次に、印刷原反を長さ１，０００ｍｍ×幅１，０００ｍｍの矩形状のシートに断裁し、図３に示すように、Ｖ字状に半分に折曲すると共に、この折曲した基材３の折曲線４に沿った長手方向の各々端部２、２にシーリングライト（天井照明）Ｃに取付ける固定具Ａを各々対称的に取り付けた。
【００５３】
前記固定具Ａは、ポリプロピレン樹脂を押出し成形した長尺な各々成形体１にマグネット部１ａを取り付けた形態にした。
【００５４】
次に、図１に示すようなシーリングライト用表示体Ｂを図３に示すようにシーリングラ
イト（天井照明）Ｃのマグネット適性のある鉄鋼板で作製した取付け部６、６にマグネットの磁力によって貼着した。
【００５５】
図４に示すように、天井８に取り付けられたシーリングライト（天井照明）Ｃの１００Ｗの蛍光灯７を点灯した所、該蛍光灯７の光源により、シーリングライト（天井照明）用表示体Ｂは、明るく照らしだされ、「特売日」なる文字が華やかに浮かび上がった。
【実施例２】
【００５６】
本発明のシーリングライト用表示体Ｂは、基材３に厚み２００μｍの１，０００ｍｍ幅のポリエステル製布帛原反を使用し、図７に示すように、該基材３上に白色インキをグラビア印刷方式により、全面ベタ印刷し、第一半透明層１０を設けた。
【００５７】
さらに、第一半透明層１０上に「特売日」なる文字をシルクスクリーン印刷方式で印刷を施し、第一印刷層１１となる表示部５を設けた。
【００５８】
次に、印刷原反を長さ１，０００ｍｍ×幅１，０００ｍｍの矩形状のシートに断裁し、図２に示すように、円弧状に半分に折曲すると共に、この折曲した基材３の折曲線４に沿った長手方向の各々端部２、２にシーリングライト（天井照明）Ｃに取付ける固定具Ａを各々対称的に取り付けた。
【００５９】
前記固定具Ａは、ポリプロピレン樹脂を押出し成形した長尺な各々成形体１にマグネット部１ａを取り付けた形態にした。
【００６０】
次に、図２に示すようなシーリングライト用表示体Ｂをシーリングライト（天井照明）Ｃのマグネット適性のある鉄鋼板で作製した取付け部６、６にマグネットの磁力によって貼着した。
【００６１】
このようにしてシーリングライト（天井照明）Ｃに取り付けた後、１００Ｗの蛍光灯７を点灯した所、該蛍光灯７の光源により、シーリングライト（天井照明）用表示体Ｂは、明るく照らしだされ、「特売日」なる文字が華やかに浮かび上がった。
【実施例３】
【００６２】
本発明のシーリングライト用表示体Ｂは、基材３に厚み２００μｍの１，０００ｍｍ幅のポリエステルフィルム原反を使用し、図７に示すように、該基材３上に白色インキをグラビア印刷方式により、全面ベタ印刷し、第一半透明層１０を設けた。
【００６３】
さらに、第一半透明層１０上に「ハンバーガー特価」なる文字をグラビア印刷方式で印刷を施し、第一印刷層１１となる表示部５を設けた。
【００６４】
次に、印刷原反が折曲線を中心に線対称となるようハンバーガー形状をデザインしたシートに断裁し、図５に示すように、針金９を支持体にしてハンバーガー形状を保持し、Ｖ字状に半分に折曲すると共に、この折曲した基材３の折曲線４に沿った長手方向の各々端部２、２にシーリングライト（天井照明）Ｃに取付ける固定具Ａを各々対称的に取り付けた。
【００６５】
前記固定具Ａは、ポリプロピレン樹脂を押出し成形した長尺な各々成形体１にマグネット部１ａを取り付けた形態にした。
【００６６】
以上のようにして、作製したシーリングライト用表示体Ｂをシーリングライト（天井照明）Ｃのマグネット適性のある鉄鋼板で作製した取付け部６、６にマグネットの磁力によ
って貼着した。
【００６７】
このようにしてシーリングライト（天井照明）Ｃに取り付けた後、１００Ｗの蛍光灯７を点灯した所、該蛍光灯７の光源により、シーリングライト（天井照明）用表示体Ｂは、明るく照らしだされ、「ハンバーガー特価」なる文字が華やかに浮かび上がった。
【実施例４】
【００６８】
本発明のシーリングライト用表示体Ｂは、基材３に厚み２００μｍの１，０００ｍｍ幅のポリエステルフィルム原反を使用し、図７に示すように、該基材３上に白色インキをグラビア印刷方式により、全面ベタ印刷し、第一半透明層１０を設けた。
【００６９】
さらに、第一半透明層１０上に「キャンペーン実施中」なる文字をグラビア印刷方式で印刷を施し、第一印刷層１１となる表示部５を設けた。
【００７０】
次に、印刷原反を長さ３００ｍｍ×幅５００ｍｍの矩形状のシートに断裁し、図６に示すように、円筒状に折曲し、１００Ｗの白熱電球７ａを点灯した所、該白熱電球７ａの光源により、シーリングライト（天井照明）用表示体Ｂは、明るく照らしだされ、「キャンペーン実施中」なる文字が華やかに浮かび上がった。
【００７１】
固定具Ａは、円筒の断面と同じ形状のポリプロピレン樹脂を押出し成形した成形体１にマグネット部１ａを取り付けた形態にした。
【００７２】
また、基材３を角筒状に折曲した時は、長尺な固定具Ａを組合わせて使用してもよい。
【実施例５】
【００７３】
本発明のシーリングライト用表示体Ｂは、基材３に厚み２００μｍの１，０００ｍｍ幅のポリエステルフィルム原反を使用し、図８に示すように、該基材３上に白色インキをグラビア印刷方式により、全面ベタ印刷し、第一半透明層１０を設けた。
【００７４】
また、第一半透明層１０上に「特売日」なる文字をグラビア印刷方式で印刷を施し、第一印刷層１１となる表示部５を設けた。
【００７５】
さらに、前記第一印刷層１１上に白色インキをグラビア印刷方式により、全面ベタ印刷し、第二半透明層１２を設けた。
【００７６】
また、さらに第二半透明層１２上に全く同一の見当で「特売日」なる文字をグラビア印刷方式で印刷を施した。
【００７７】
次に、印刷原反を長さ１，０００ｍｍ×幅１，０００ｍｍの矩形状のシートに断裁し、図１に示すように、Ｖ字状に半分に折曲すると共に、この折曲した基材３の折曲線４に沿った長手方向の各々端部２、２にシーリングライト（天井照明）Ｃに取付ける固定具Ａを各々対称的に取り付けた。
【００７８】
前記固定具Ａは、ポリプロピレン樹脂を押出し成形した長尺な各々成形体１にマグネット部１ａを取り付けた形態にした。
【００７９】
次に、図１に示すようなシーリングライト用表示体Ｂを図３に示すようにシーリングライト（天井照明）Ｃのマグネット適性のある鉄鋼板で作製した取付け部６、６にマグネットの磁力によって貼着した。
【００８０】
図４に示すように、シーリングライト（天井照明）Ｃに取り付けた後、１００Ｗの蛍光灯７を点灯した所、該蛍光灯７の光源により、シーリングライト（天井照明）用表示体Ｂは、明るく照らしだされ、「特売日」なる文字がより一層華やかに浮かび上がった。
【実施例６】
【００８１】
本発明のシーリングライト用表示体Ｂは、基材３に厚み２００μｍの１，０００ｍｍ幅のポリエステル製布帛原反を使用し、図８に示すように、該基材３上に白色インキをグラビア印刷方式により、全面ベタ印刷し、第一半透明層１０を設けた。
【００８２】
また、第一半透明層１０上に「特売日」なる文字をグラビア印刷方式で印刷を施し、第一印刷層１１となる表示部５を設けた。
【００８３】
さらに、前記第一印刷層１１上に白色インキをグラビア印刷方式により、全面ベタ印刷し、第二半透明層１２を設けた。
【００８４】
また、さらに第二半透明層１２上に全く同一の見当で「特売日」なる文字をグラビア印刷方式で印刷を施した。
【００８５】
次に、印刷原反を長さ１，０００ｍｍ×幅１，０００ｍｍの矩形状のシートに断裁して、図２に示すように、円弧状に半分に折曲すると共に、この折曲した基材３の折曲線４に沿った長手方向の各々端部２、２にシーリングライトＣに取付ける固定具Ａを各々対称的に取り付けた。
【００８６】
前記固定具Ａは、ポリプロピレン樹脂を押出し成形した長尺な各々成形体１にマグネット部１ａを取り付けた形態にした。
【００８７】
次に、図２に示すようなシーリングライト用表示体Ｂをシーリングライト（天井照明）Ｃのマグネット適性のある鉄鋼板で作製した取付け部６、６にマグネットの磁力によって貼着した。
【００８８】
このようにしてシーリングライト（天井照明）Ｃに取り付けた後、１００Ｗの蛍光灯７を点灯した所、該蛍光灯７の光源により、シーリングライト（天井照明）用表示体Ｂは、明るく照らしだされ、「特売日」なる文字がより一層華やかに浮かび上がった。
【図面の簡単な説明】
【００８９】
【図１】本発明に係るシーリングライト用表示体の１実施例を示す斜視図である。
【図２】本発明に係るシーリングライト用表示体のその他の実施例を示す斜視図である。
【図３】本発明に係るシーリングライト用表示体を固定具に装着し、シーリングライト（天井照明）に取り付ける状態を説明する説明図である。
【図４】本発明に係るシーリングライト用表示体をシーリングライト（天井照明）に取付けた斜視図である。
【図５】本発明に係るシーリングライト用表示体の１変形例を示す斜視図である。
【図６】本発明に係るシーリングライト用表示体のその他の変形例を示す斜視図である。
【図７】本発明に係るシーリングライト用表示体の基材に印刷層、半透明層を順次設けた１実施例を示す側断面図である。
【図８】本発明に係るシーリングライト用表示体の基材に印刷層、半透明層を順次設けたその他の実施例を示す側断面図である。
【符号の説明】
【００９０】
Ａ・・・固定具
Ｂ・・・シーリングライト用表示体
Ｃ・・・シーリングライト（天井照明）
１・・・成形体    １ａ・・・マグネット部
２・・・端部
３・・・基材
４・・・折曲線
５・・・表示部
６・・・取付け部
７・・・蛍光灯    ７ａ・・・白熱電球
８・・・天井
９・・・針金
１０・・・第一半透明層
１１・・・第一印刷層
１２・・・第二半透明層
１３・・・第二印刷層
【図１】
2005128057.tif 000003
【図２】
2005128057.tif 000004
【図３】
2005128057.tif 000005
【図４】
2005128057.tif 000006
【図５】
2005128057.tif 000007
【図６】
2005128057.tif 000008
【図７】
2005128057.tif 000009
【図８】
2005128057.tif 000010